(57)【要約】      （修正有）【課題】容易に広告者になることができると共に、効率良く商品の紹介を行うことができる商品又は役務の紹介管理システムを提供する。【解決手段】商品又は役務の宣伝情報を広告者に発行する画像データ発行サーバと、消費者から商品又は役務の注文を処理す商品役務注文処理サーバとを備えた商品又は役務の紹介管理システムにおいて、画像データ発行サーバは、前記商品役務注文処理サーバにアクセスするためのアクセス情報及び広告者識別情報を含む宣伝画像データを広告者端末に送信するデータ送信部を備えており、前記商品役務注文処理サーバは、前記宣伝画像データを消費者に印刷配布し、印刷情報に基づく消費者による商品又は役務の注文要求を受け付ける注文制御部と、消費者端末から取得した前記消費者の注文に関する情報に基づいて決済処理を行う決済処理部と、商品又は役務の紹介料を算出する算出部とを備える。【選択図】図１
2009104438.tif 000002
【特許請求の範囲】
【請求項１】
商品又は役務の紹介を行う商品又は役務の紹介管理システムであって、
商品又は役務の宣伝画像データを含む情報を広告者に発行する画像データ発行サーバと、
消費者からの商品又は役務の注文を処理する商品役務注文処理サーバとを備えており、
前記画像データ発行サーバは、
ネットワークを介して広告者端末から入力された当該広告者を特定する広告者情報に基づいて広告者識別情報を作成する識別情報作成部と、
前記商品役務注文処理サーバにネットワークを介してアクセスするためのアクセス情報及び前記広告者識別情報を組み合わせた複合アクセス情報を作成すると共に、前記宣伝画像データに基づいて商品又は役務の宣伝画像を印刷したときに、前記複合アクセス情報も併せて印刷されるように、前記複合アクセス情報を前記宣伝画像データに合成する印刷用画像データ作成部と、
前記複合アクセス情報を合成した後の前記宣伝画像データを前記広告者端末にネットワークを介して送信するデータ送信部とを備えており、
前記商品役務注文処理サーバは、
広告者が取得した前記複合アクセス情報を合成した後の前記宣伝画像データを用いて商品又は役務の宣伝画像を印刷した印刷物に記載された前記複合アクセス情報に基づいて、消費者端末からネットワークを介してアクセスされたときに、前記消費者端末から送信された前記複合アクセス情報から前記広告者識別情報を分離した後、前記広告者識別情報をネットワークを介して前記消費者端末に送信し記憶させる送信制御部と、
商品又は役務を注文するための注文画面を前記消費者端末にネットワークを介して表示させると共に、前記消費者端末に表示された前記注文画面に入力された消費者の注文に関する情報、及び、前記消費者端末が記憶する前記広告者識別情報を取得する注文制御部と、
前記消費者端末から取得した前記消費者の注文に関する情報に基づいて決済処理を行う決済処理部と、
前記消費者端末から取得した前記広告者識別情報に基づいて商品又は役務の紹介料を算出する算出部とを備えることを特徴とする商品又は役務の紹介管理システム。
【請求項２】
前記広告者識別情報は、前記紹介料が入金される金融機関の口座番号を暗号化した情報を含むことを特徴とする請求項１に記載の商品又は役務の紹介管理システム。
【請求項３】
前記複合アクセス情報を合成した後の前記宣伝画像データを用いて商品又は役務の宣伝画像が印刷される対象物は、紙、布、ステッカー、フィルム及び被服からなる群から選択される少なくとも一つである請求項１又は２に記載の商品又は役務の紹介管理システム。
【請求項４】
前記複合アクセス情報は、ＵＲＬコード形式或いはＱＲコード形式で作成されている請求項１〜３のいずれかに記載の商品又は役務の紹介管理システム。
【請求項５】
商品又は役務の紹介を行う商品又は役務の紹介管理方法であって、
画像データ発行サーバが、商品又は役務の宣伝画像データを含む情報を広告者に発行する画像データ発行ステップと、
商品役務注文処理サーバが、消費者からの商品又は役務の注文を処理する商品役務注文処理ステップとを備えており、
前記画像データ発行ステップは、
ネットワークを介して広告者端末から入力された当該広告者を特定する広告者情報に基づいて広告者識別情報を作成する識別情報作成ステップと、
前記商品役務注文処理サーバにネットワークを介してアクセスするためのアクセス情報及び前記広告者識別情報を組み合わせた複合アクセス情報を作成する複合アクセス情報作成ステップと、
前記宣伝画像データに基づいて商品又は役務の宣伝画像を印刷したときに、前記複合アクセス情報も併せて印刷されるように、前記複合アクセス情報を前記宣伝画像データに合成する印刷用画像データ作成ステップと、
前記複合アクセス情報を合成した後の前記宣伝画像データを前記広告者端末にネットワークを介して送信するデータ送信ステップとを備えており、
前記商品役務注文処理ステップは、
広告者が取得した前記複合アクセス情報を合成した後の前記宣伝画像データを用いて商品又は役務の宣伝画像を印刷した印刷物に記載された前記複合アクセス情報に基づいて、消費者端末からネットワークを介して前記商品役務注文処理サーバにアクセスされたときに、前記消費者端末から送信された前記複合アクセス情報から前記広告者識別情報を分離した後、前記広告者識別情報をネットワークを介して前記消費者端末に送信し記憶させる識別情報送信ステップと、
商品又は役務を注文するための注文画面を前記消費者端末にネットワークを介して表示させる注文画面表示ステップと、
前記消費者端末に表示された前記注文画面に入力された消費者の注文に関する情報を取得する注文情報取得ステップと、
前記消費者端末が記憶する前記広告者識別情報を取得する広告者識別情報取得ステップと、
前記消費者端末から取得した前記消費者の注文に関する情報に基づいて決済処理を行う決済処理ステップと、
前記消費者端末から取得した前記広告者識別情報に基づいて商品又は役務の紹介料を算出する算出ステップとを備えることを特徴とする商品又は役務の紹介管理方法。
【発明の詳細な説明】
【技術分野】
【０００１】
本発明は、商品又は役務の紹介管理システム及び商品又は役務の紹介管理方法に関する。
【背景技術】
【０００２】
近年、パソコン、通信機器、およびインターネットの普及に伴って、インターネット上に仮想のネットショップを構築し、電子データの交換により消費者のパソコンから商品の注文を行う事業が盛んになってきている。そして、このインターネット上でのネットショップのシステムの一つとして、いわゆるアフィリエイトと呼ばれるものが知られている（例えば特許文献１参照）。
【０００３】
このアフィリエイトは、商品紹介を行うサイト（以下、アフィリエイトサイトという）に商品を販売するサイト（以下、商品販売サイトという）へのリンクを張り、消費者がそのアフィリエイトサイトを経由して商品販売サイトで商品を購入すると、商品紹介依頼主からアフィリエイトサイトの管理者である広告者に商品紹介料が支払われる商品紹介管理システムである。
【特許文献１】特開２００４−０２１５９８号公報
【発明の開示】
【発明が解決しようとする課題】
【０００４】
しかしながら、従来のアフィリエイトにおいては、広告者になって商品紹介料による収益を受けることができるのは、インターネット上に自らがアフィリエイトサイトを開設している者に限られるという問題があった。
【０００５】
また、アフィリエイトサイトにアクセスできる者は、このサイトの存在を知っている者に限られるので、より多数の人に効率良く商品の紹介を行うことが困難であるという問題もあった。
【０００６】
本発明は、このような問題を解決するためになされたものであって、容易に広告者になることができると共に、効率良く商品の紹介を行うことができる商品又は役務の紹介管理システム及び商品又は役務の紹介管理方法を提供することを目的とする。
【課題を解決するための手段】
【０００７】
本発明の上記目的は、商品又は役務の紹介を行う商品又は役務の紹介管理システムであって、商品又は役務の宣伝画像データを含む情報を広告者に発行する画像データ発行サーバと、消費者からの商品又は役務の注文を処理する商品役務注文処理サーバとを備えており、前記画像データ発行サーバは、ネットワークを介して広告者端末から入力された当該広告者を特定する広告者情報に基づいて広告者識別情報を作成する識別情報作成部と、前記商品役務注文処理サーバにネットワークを介してアクセスするためのアクセス情報及び前記広告者識別情報を組み合わせた複合アクセス情報を作成すると共に、前記宣伝画像データに基づいて商品又は役務の宣伝画像を印刷したときに、前記複合アクセス情報も併せて印刷されるように、前記複合アクセス情報を前記宣伝画像データに合成する印刷用画像データ作成部と、前記複合アクセス情報を合成した後の前記宣伝画像データを前記広告者端末にネットワークを介して送信するデータ送信部とを備えており、前記商品役務注文処理サーバは、広告者が取得した前記複合アクセス情報を合成した後の前記宣伝画像データを用いて商品又は役務の宣伝画像を印刷した印刷物に記載された前記複合アクセス情報に基づいて、消費者端末からネットワークを介してアクセスされたときに、前記消費者端末から送信された前記複合アクセス情報から前記広告者識別情報を分離した後、前記広告者識別情報をネットワークを介して前記消費者端末に送信し記憶させる送信制御部と、商品又は役務を注文するための注文画面を前記消費者端末にネットワークを介して表示させると共に、前記消費者端末に表示された前記注文画面に入力された消費者の注文に関する情報、及び、前記消費者端末が記憶する前記広告者識別情報を取得する注文制御部と、前記消費者端末から取得した前記消費者の注文に関する情報に基づいて決済処理を行う決済処理部と、前記消費者端末から取得した前記広告者識別情報に基づいて商品又は役務の紹介料を算出する算出部とを備えることを特徴とする商品又は役務の紹介管理システムにより達成される。
【０００８】
また、この商品又は役務の紹介管理システムにおいて、前記広告者識別情報は、前記紹介料が入金される金融機関の口座番号を暗号化した情報を含むことが好ましい。
【０００９】
また、前記複合アクセス情報を合成した後の前記宣伝画像データを用いて商品又は役務の宣伝画像が印刷される対象物は、紙、布、ステッカー、フィルム及び被服からなる群から選択される少なくとも一つであることが好ましい。
【００１０】
また、前記複合アクセス情報は、ＵＲＬコード形式或いはＱＲコード形式で作成されていることが好ましい。
【００１１】
また、本発明の上記目的は、商品又は役務の紹介を行う商品又は役務の紹介管理方法であって、画像データ発行サーバが、商品又は役務の宣伝画像データを含む情報を広告者に発行する画像データ発行ステップと、商品役務注文処理サーバが、消費者からの商品又は役務の注文を処理する商品役務注文処理ステップとを備えており、前記画像データ発行ステップは、ネットワークを介して広告者端末から入力された当該広告者を特定する広告者情報に基づいて広告者識別情報を作成する識別情報作成ステップと、前記商品役務注文処理サーバにネットワークを介してアクセスするためのアクセス情報及び前記広告者識別情報を組み合わせた複合アクセス情報を作成する複合アクセス情報作成ステップと、前記宣伝画像データに基づいて商品又は役務の宣伝画像を印刷したときに、前記複合アクセス情報も併せて印刷されるように、前記複合アクセス情報を前記宣伝画像データに合成する印刷用画像データ作成ステップと、前記複合アクセス情報を合成した後の前記宣伝画像データを前記広告者端末にネットワークを介して送信するデータ送信ステップとを備えており、前記商品役務注文処理ステップは、広告者が取得した前記複合アクセス情報を合成した後の前記宣伝画像データを用いて商品又は役務の宣伝画像を印刷した印刷物に記載された前記複合アクセス情報に基づいて、消費者端末からネットワークを介して前記商品役務注文処理サーバにアクセスされたときに、前記消費者端末から送信された前記複合アクセス情報から前記広告者識別情報を分離した後、前記広告者識別情報をネットワークを介して前記消費者端末に送信し記憶させる識別情報送信ステップと、商品又は役務を注文するための注文画面を前記消費者端末にネットワークを介して表示させる注文画面表示ステップと、前記消費者端末に表示された前記注文画面に入力された消費者の注文に関する情報を取得する注文情報取得ステップと、前記消費者端末が記憶する前記広告者識別情報を取得する広告者識別情報取得ステップと、前記消費者端末から取得した前記消費者の注文に関する情報に基づいて決済処理を行う決済処理ステップと、前記消費者端末から取得した前記広告者識別情報に基づいて商品又は役務の紹介料を算出する算出ステップとを備えることを特徴とする商品又は役務の紹介管理方法により達成される。
【発明の効果】
【００１２】
本発明によれば、容易に広告者になることができると共に、効率良く商品の紹介を行うことができる商品又は役務の紹介管理システム及び商品又は役務の紹介管理方法を提供することができる。
【発明を実施するための最良の形態】
【００１３】
以下、本発明に係る商品又は役務の紹介管理システムについて添付図面を参照して説明する。図１は、本発明の一実施形態に係る商品又は役務の紹介管理システムを示す概略構成図である。
【００１４】
図１に示すように、本管理システム１は、各種商品又はオンライン契約サービス等の各種役務を消費者に紹介するためのシステムであって、消費者が操作する情報端末装置２（以下、消費者端末２という）と、商品又は役務の紹介依頼主が紹介を依頼する商品又は役務を宣伝広告しようとする者（広告者）が操作する情報端末装置３（以下、広告者端末３という）と、画像データ発行サーバ４と、商品役務注文処理サーバ５とを備えている。消費者端末２及び商品役務注文処理サーバ５は、インターネット等のネットワーク６を介して通信可能な状態で接続されている。また、広告者端末３及び画像データ発行サーバ４も同様に、ネットワーク６を介して通信可能な状態で接続されている。
【００１５】
消費者端末２は、入力部２１及び出力部２２を備えている端末であり、デスクトップ型またはノート型のパーソナルコンピュータなどの固定型端末や、携帯可能な携帯型端末等である。入力部２１は、商品役務注文処理サーバ５に接続するためのＵＲＬや商品購入時に必要な情報を入力できるように構成されており、例えば、キーボード、或いは、液晶画面のタッチパネル等によって構成することができる。また、入力部２１は、ＱＲコード形式の情報を読み取ることができるように、カメラ等の撮影手段を備えるように構成してもよい。
【００１６】
出力部２２は、商品役務注文処理サーバ５からネットワーク６を介して送信された情報を表示できるように構成されている。このような出力部２２として、例えば、ディスプレイを例示することができる。
【００１７】
広告者端末３は、画像データ発行サーバ４に後述する各種情報を送信したり、画像データ発行サーバ４から送信されてくる情報を受信するためのものである。広告者端末３としては、消費者端末２と同様に入力部３１と出力部３２とを有するパーソナルコンピュータや携帯電話等を利用することができる。広告者端末３から画像データ発行サーバ４に送信される情報は、この広告者端末３を操作する広告者を特定するための特定情報であり、例えば、氏名や住所、生年月日、電話番号、銀行や郵便局等の金融機関における口座番号等を例示することができる。なお、画像データ発行サーバ４から広告者端末３に送信されてくる情報については、後述の画像データ発行サーバ４の説明箇所にて詳述する。
【００１８】
また、広告者端末３には、印刷機７が接続されており、後述のように画像データ発行サーバ４から受信した商品又は役務の宣伝画像データに基づいて商品又は役務の宣伝画像を印刷できるように構成されている。
【００１９】
画像データ発行サーバ４及び商品役務注文処理サーバ５は、商品又は役務の紹介依頼主が管理するサーバである。画像データ発行サーバ４は、商品又は役務の宣伝画像データを含む情報を広告者に発行するためのサーバであり、商品役務注文処理サーバ５は、消費者からの商品又は役務の注文を処理するためのサーバである。
【００２０】
画像データ発行サーバ４は、制御部４１と、識別情報作成部４２と、印刷用画像データ作成部４３と、データ送信部４４とを備えている。制御部４１は、中央演算処理装置（ＣＰＵ）であり、ＲＯＭ（Ｒｅａｄ  Ｏｎｌｙ  Ｍｅｍｏｒｙ）やハードディスクに記憶されたプログラムを実行するものである。この制御部４１は、識別情報作成部４２、印刷用画像データ作成部４３、及び、データ送信部４４の作動を統括的に制御する。また、制御部４１は、広告者端末３を介してアクセスされた際に、図２に示すような宣伝対象リスト画面を広告者端末３に送信して広告者端末３のディスプレイ等の出力部３２に表示するように構成されている。宣伝対象リスト画面には、商品又は役務の紹介依頼主が紹介を依頼する商品の写真やイラスト等の宣伝画像や、役務を説明するための文言やロゴ等の宣伝画像が複数掲載されている。また、各商品又は各役務に関するの宣伝画像には選択ボタン８１が付与されており、広告者が宣伝広告しようとする商品又は役務を宣伝対象リスト画面から選んだ後、その商品又は役務の宣伝画像に付与されている選択ボタン８１をクリックした場合に、その信号情報を画像データ発行サーバ４が受信できるように構成されている。
【００２１】
識別情報作成部４２は、広告者が宣伝対象リスト画面における商品選択ボタン８１をクリックした信号情報を画像データ発行サーバ４が受信した際に、制御部４１からの指令により作動を開始するものである。この識別情報作成部４２は、制御部４１からの指令があった場合に、図３に示すような広告者を特定するための各種情報を入力する広告者特定情報入力画面を広告者端末３に送信し、広告者端末３の出力部３２に表示させる。そして、ネットワーク６を介して広告者端末３から入力された広告者を特定する広告者情報に基づいて広告者識別情報を作成すると共に、内蔵する記憶部（図示せず）に広告者識別情報を記憶させる。広告者識別情報は、広告者毎に割り当てられる情報であり、例えば、「ＡＡＡ−０００１」、「ＡＡＡ−０００２」、・・・・というような通し番号，或いは複数の文字をランダムに組み合わせて作成される番号等である。なお、広告者端末３から入力された広告者を特定する広告者情報については、広告者識別情報に関連付けられて記憶部に保存されている。
【００２２】
印刷用画像データ作成部４３は、識別情報作成部４２において広告者識別情報が作成された後に作動を開始するものである。この印刷用画像データ作成部４３は、商品役務注文処理サーバ５にネットワーク６を介してアクセスするためのアクセス情報と、広告者識別情報を組み合わせて複合アクセス情報を作成する。
【００２３】
アクセス情報としては、ＵＲＬコード形式で作成された情報を例示することができる。ＵＲＬコードで作成された複合アクセス情報は、例えば、図４に示すように、商品役務注文処理サーバ５のＵＲＬ指定部に続いて広告者識別情報が付加されるように構成されている。また、印刷用画像データ作成部４３は、広告者が宣伝広告しようとして選択した商品又は役務の宣伝画像データに基づいて商品又は役務の宣伝画像を印刷したときに、商品又は役務の宣伝画像と共に、作成した複合アクセス情報も印刷されるように、複合アクセス情報を宣伝画像データに合成する処理を行う。なお、複合アクセス情報を宣伝画像データに合成する段階において、広告者が、広告者端末３を操作することにより、印刷した商品又は役務の宣伝画像のサイズを任意の大きさに変更したり、複合アクセス情報が表示される位置を変更したりすることができるように印刷用画像データ作成部４３を構成することが好ましい。
【００２４】
データ送信部４４は、複合アクセス情報を宣伝画像データに合成する処理が終了した段階で、このデータを広告者端末３にネットワーク６を介して送信する処理を行う。
【００２５】
商品役務注文処理サーバ５は、送信制御部５１と、注文制御部５２と、識別情報データベース５３と、注文情報データベース５４と、決済処理部５５と、算出部５６とを備えている。送信制御部５１、注文制御部５２、決済処理部５５及び算出部５６は、中央演算処理装置（ＣＰＵ）であり、ＲＯＭ（Ｒｅａｄ  Ｏｎｌｙ  Ｍｅｍｏｒｙ）やハードディスクに記憶されたプログラムを実行する。
【００２６】
送信制御部５１は、広告者が取得した複合アクセス情報を合成した後の宣伝画像データを用いて商品又は役務の宣伝画像を印刷した印刷物に記載された複合アクセス情報に基づいて、消費者が消費者端末２からネットワーク６を介して商品役務注文処理サーバ５にアクセスしたときに、商品又は役務の紹介用画面を消費者端末２にネットワーク６を介して送信し、消費者端末２の出力部２２に表示する。紹介用画面が、商品を紹介する場合には、図５に示すように、商品の画像、商品名称、商品の説明等が掲載されている。また、商品の購入を決定した消費者が商品を注文するための注文ボタン８３が設けられている。なお、紹介用画面が役務を紹介する場合には、その役務の名称や、役務の説明等が紹介用画面に掲載される。
【００２７】
また、消費者が複合アクセス情報におけるＵＲＬ指定部のみを消費者端末２に入力して、商品役務注文処理サーバ５にアクセスした場合には、正常なＵＲＬであるＵＲＬコード形式の複合アクセス情報の入力を促すエラーメッセージを消費者端末に表示させるように、送信制御部５１は構成されている。
【００２８】
また、送信制御部５１は、消費者が消費者端末２に入力し商品役務注文処理サーバ５が受信した複合アクセス情報から広告者識別情報を分離すると共に、この広告者識別情報を消費者端末２にネットワーク６を介して送信する。消費者端末２に送信された広告者識別情報は、消費者端末２の「ｃｏｏｋｉｅ」と名付けられるファイルに保存される。
【００２９】
注文制御部５２は、商品又は役務を注文するための注文画面を消費者端末２にネットワーク６を介して表示させると共に、消費者端末２に表示された注文画面に入力された消費者の注文に関する情報、および、消費者端末が記憶する広告者識別情報をネットワーク６を介して取得する処理部である。消費者端末から取得された消費者の注文に関する情報は、注文情報データベース５４に記憶される。また、消費者端末から取得された広告者識別情報は、消費者の注文に関する情報に関連付けて識別情報データベース５３に記憶する。
【００３０】
具体的に説明すると、消費者端末２に表示された商品又は役務の紹介用画面を見た消費者が、商品又は役務の購入を決定し、紹介用画面にある注文ボタン８３をクリックした場合に、注文制御部５２は、図６に示すような注文画面を消費者端末２に表示させる。この注文画面において消費者が必要事項を入力し、注文確定ボタン８４がクリックすることにより、入力した情報が送信され、注文制御部５２が、消費者の注文に関する情報を取得して、この情報を注文情報データベース５４に記憶する。また、注文画面において注文確定ボタン８４がクリックされた時点で、注文制御部５２が、消費者端末２の「ｃｏｏｋｉｅ」に保存されている広告者識別情報を取得し、この情報に消費者の注文に関する情報を関連付けて識別情報データベース５３に記憶する。
【００３１】
決済処理部５５は、注文制御部５２が消費者端末２から取得し、注文情報データベース５４に記憶した消費者の注文に関する情報に基づいて決済処理を行う処理部である。
【００３２】
算出部５６は、注文制御部５２が消費者端末２から取得し、識別情報データベース５３に記憶した広告者識別情報に基づいて、各広告者識別情報に対応する広告者に支払う商品又は役務の紹介料を算出する処理部である。この算出部５６は、画像データ発行サーバ４が有する広告者識別情報作成部４２の記憶部に記憶されている、広告者を特定する特定情報に関連付けられた広告者識別情報にリンクするように構成されている。このような構成により、識別情報データベース５３に記憶されている広告者識別情報に基づいて各広告者識別情報に対応する広告者を特定することが可能となる。また、識別情報データベース５３に記憶されている広告者識別情報は、消費者の注文に関する情報に関連付けているため、消費者の注文が、どの広告者が印刷した印刷物に基づいてなされたのかを特定することが可能になる。
【００３３】
次に本発明に係る商品又は役務の紹介管理システム１の作動について、宣伝対象が商品である場合を例にとり、図７のフローチャートを参照しつつ説明する。なお、宣伝対象が役務の場合であっても、同様な作動を行うことはいうまでもない。
【００３４】
まず、商品紹介依頼主が商品紹介を依頼する商品を宣伝広告しようとする者（広告者）は、広告者端末３を操作して、画像データ発行サーバ４にアクセスする（Ｓ１）。画像データ発行サーバ４は、商品紹介を依頼する商品群が掲載された宣伝対象リスト画面（例えば、図２）を広告者端末３にネットワーク６を介して表示させる（宣伝対象リスト画面表示ステップＳ２）。そして、広告者は、宣伝対象リスト画面に掲載された商品群から自らが宣伝広告したい商品を選択し、その選択ボタン８１をクリックする（宣伝広告用商品選択ステップＳ３）。その後、画像データ発行サーバ４は、図３に示すような広告者特定情報入力画面を広告者端末３に表示させる（広告者特定情報入力画面表示ステップＳ４）。広告者は、住所・氏名や、商品紹介が成立した場合に商品紹介料が商品紹介依頼主から振り込まれる金融機関の口座番号等の特定情報を入力した後、送信ボタン８２をクリックして画像データ発行サーバ４に送信する（特定情報入力ステップＳ５）。
【００３５】
次に、画像データ発行サーバ４は、広告者端末３から送られてきた広告者の特定情報に基づいて、広告者識別情報を作成すると共に、これを記憶部に保存する（識別情報作成ステップＳ６）。
【００３６】
そして、画像データ発行サーバ４は、商品役務注文処理サーバ５にアクセスするためのアクセス情報と、広告者識別情報とを組み合わせて作成した複合アクセス情報（例えば、図４）を作成する（複合アクセス情報作成ステップＳ７）。その後、広告者が宣伝広告しようとして選択した商品の宣伝画像データに基づいて商品の宣伝画像を印刷したときに、商品の宣伝画像と共に複合アクセス情報が印刷されるように、複合アクセス情報を宣伝画像データに合成する処理を行う（印刷用宣伝画像データ作成ステップＳ８）。
【００３７】
複合アクセス情報を宣伝画像データに合成する処理が終了した段階で、画像データ発行サーバ４のデータ送信部４４は、複合アクセス情報を宣伝画像データに合成したデータを広告者端末３にネットワーク６を介して送信する（データ送信ステップＳ９）。
【００３８】
複合アクセス情報を宣伝画像データに合成したデータを受信した広告者は、そのデータに基づいて、ステッカーや、フィルム、紙、布、被服などに複合アクセス情報が表示された商品の宣伝画像を印刷した印刷物を作成する（印刷物作成ステップＳ１０）。複合アクセス情報が表示された商品の宣伝画像を印刷したステッカーの概略図及び被服（Ｔシャツ）の概略図を、それぞれ図８及び図９に示す。ステッカーやフィルムに印刷した場合には、これらを自動車や自転車、バイク、鞄等に貼り付けて使用する。また、被服に印刷した場合には、この被服を着用して使用する。紙や布に印刷した場合には、これらを街頭の所定位置に貼り付けて使用する。また、複合アクセス情報が掲載された商品の宣伝画像を印刷した各種印刷物を販売等してもよい。
【００３９】
このような印刷物の使用により、商品の宣伝画像がＵＲＬコード形式の複合アクセス情報と共に広く一般消費者に紹介されることになる。そして、印刷物に印刷された商品宣伝画像を見た消費者が、その商品に興味を持ち購入を検討する場合、印刷物に表示されている複合アクセス情報をパーソナルコンピュータや携帯電話等の消費者端末２を用いてインターネット接続画面等に入力する（複合アクセス情報入力ステップＳ１１）。これによって、消費者端末２は、商品役務注文処理サーバ５に接続される。
【００４０】
商品役務注文処理サーバ５と消費者端末２とがネットワーク６を介して接続されると、商品役務注文処理サーバ５の送信制御部５１が、商品の紹介用画面（例えば、図５）を消費者端末２に送信して表示させる（紹介用画面表示ステップＳ１２）と共に、複合アクセス情報から広告者識別情報を分離する処理を行った後、当該情報を消費者端末２に送信する（識別情報送信ステップＳ１３）。消費者端末２に送信された広告者識別情報は、消費者端末２の「ｃｏｏｋｉｅ」に保存される（識別情報保存ステップＳ１４）。
【００４１】
商品の紹介用画面を見た消費者は、その商品の購入の有無を決定する。商品購入を決定した場合、商品の紹介用画面に表示されている注文ボタン８３をクリックする（注文ステップＳ１５）。そして、注文ボタン８３をクリックした信号情報が消費者端末２から商品役務注文処理サーバ５に送信される。この信号情報を受けた注文制御部５２は、消費者端末２に注文画面（例えば、図６）を送信して表示させる（注文画面表示ステップＳ１６）。消費者は、表示された注文画面に住所・氏名等の所定事項を入力し、注文確定ボタン８４をクリックする（注文確定ステップＳ１７）。この注文確定ボタン８４がクリックされると、その信号情報が商品役務注文処理サーバ５に送信され、注文制御部５２が、注文画面に入力された消費者の注文に関する情報を取得する（注文情報取得ステップ１８）と共に、消費者端末２の「ｃｏｏｋｉｅ」に保存された広告者識別情報を取得する（広告者識別情報取得ステップＳ１９）。
【００４２】
そして、取得された消費者の注文に関する情報は、注文情報データベース５４に記憶される。また、消費者端末から取得された広告者識別情報は、消費者の注文に関する情報を関連付けて識別情報データベース５３に記憶される。
【００４３】
決済処理部５５では、注文情報データベース５４に記憶されている消費者の注文に関する情報に基づいて商品代金の決済処理を行う（決済処理ステップＳ２０）。
【００４４】
算出部５６では、識別情報データベース５３に記憶されている広告者識別情報に基づいて、各広告者識別情報に対応する広告者に支払う紹介料を算出する（算出ステップＳ２１）。
【００４５】
その後、商品紹介依頼主から消費者に商品が発送されると共に、広告者に紹介料が支払われる。
【００４６】
このように本実施形態に係る紹介管理システム１によれば、商品紹介依頼主が商品紹介を依頼する商品の宣伝広告を希望する者は、自ら商品紹介を行うサイトをインターネット上に開設することなく容易に商品の広告者になって、商品紹介による収益を得ることができる。
【００４７】
また、商品販売サイトの存在を知らない消費者や、商品紹介のためのサイトの存在を知らない消費者に対しても、商品の宣伝画像が印刷された印刷物により、商品を紹介することが可能になると共に、このような消費者を、商品の宣伝画像が印刷された印刷物に表示されている複合アクセス情報に基づいて、商品役務注文処理サーバにアクセスするように導くことが可能になる。つまり、効率よく商品の紹介を行うことができると共に、商品の販売を効率良く行うことが可能になる。
【００４８】
以上、本発明に係る揮散器１の一実施形態について説明したが、本発明の具体的な構成は、上記実施形態に限定されない。上記実施形態においては、画像データ発行サーバ４と商品役務注文処理サーバ５とを分離し、それぞれの機能が分散されるように構成しているが、画像データ発行サーバ４と商品役務注文処理サーバ５とを一つのサーバによって構成してもよい。
【００４９】
また、本実施形態においては、広告者識別情報として、「ＡＡＡ−０００１」、「ＡＡＡ−０００２」・・・というような通し番号や、複数の文字をランダムに組み合わせて作成される番号等を例示したが、これらに特に限定されない。例えば、画像データ発行サーバ４の識別情報作成部４２が暗号化プログラムを備えるように構成し、銀行や郵便局等の金融機関において広告者が開設している口座番号を暗号化した文字列を広告者識別情報としてもよい。このように金融機関の口座番号を暗号化した文字列を広告者識別情報とする場合、商品役務注文処理サーバ５における算出部５６が、広告者識別情報を復号して金融機関の口座番号を取得できるように構成する。広告者識別情報として、金融機関の口座番号を暗号化したものを採用する場合、画像データ発行サーバ４における識別情報作成部４２が有する記憶部や、この記憶部と商品役務注文処理サーバ５が備える算出部５６とのリンクが不要になり、画像データ発行サーバ４及び商品役務注文処理サーバ５において、広告者を特定する特定情報及び広告者識別情報の管理負荷を低減することができる。具体的に説明すると、金融機関において広告者が開設している口座番号は、元々各広告者固有のものであると共に、商品又は役務の紹介料を入金する振込先でもある。したがって、金融機関の口座番号に基づいて広告者識別情報を作成した場合、広告者を特定する特定情報に広告者識別情報を関連付けたデータを保有することなく、広告者、及び、商品又は役務の紹介料振込先の両方をダイレクトに特定することが可能になる。この結果、画像データ発行サーバ４における識別情報作成部４２が有する記憶部を省略することができると共に、識別情報作成部４２の記憶部と商品役務注文処理サーバ５が備える算出部５６とのリンクが不要になる。
【００５０】
また、本実施形態において、複合アクセス情報の形式として、ＵＲＬコード形式のものについて例示したが、特にこれに限定されるものではなく、例えば、ＱＲコード形式により複合アクセス情報を作成してもよい。ここで、ＱＲコードとは、マトリックス型二次元コードの一種であり、白と黒の格子状のパターンで情報を表したものである。複合アクセス情報の形式としてＱＲコード形式を採用した場合、消費者は、広告者が印刷した印刷物に表示されているＱＲコード形式の複合アクセス情報を携帯電話のカメラにより撮影して情報を読み取り、読み取った情報に基づいて商品役務注文処理サーバ５に容易に接続することが可能になる。
【図面の簡単な説明】
【００５１】
【図１】本発明の一実施形態に係る商品又は役務の紹介管理システムを示す概略構成図である。
【図２】宣伝対象リスト画面を示す概略図である。
【図３】広告者特定情報入力画面を示す概略図である。
【図４】ＵＲＬコード形式の複合アドレス情報を示す概略図である。
【図５】商品又は役務の紹介用画面の一例を示す概略図である。
【図６】商品又は役務の注文画面の一例を示す概略図である。
【図７】図１に示す商品又は役務の紹介管理システムの動作を示すフローチャートである。
【図８】ＵＲＬコード形式の複合アドレス情報が表示された商品又は役務の宣伝画像を印刷したステッカーの概略図である。
【図９】ＵＲＬコード形式の複合アドレス情報が表示された商品又は役務の宣伝画像を印刷した被服（Ｔシャツ）の概略図である。
【符号の説明】
【００５２】
１  商品紹介管理システム
２  消費者端末
３  広告者端末
４  画像データ発行サーバ
４１  制御部
４２  識別情報作成部
４３  印刷用画像データ作成部
４４  データ送信部
５  商品役務注文処理サーバ
５１  送信制御部
５２  注文制御部
５３  識別情報データベース
５４  注文情報データベース
５５  決済処理部
５６  算出部
６  ネットワーク
７  印刷機
【図１】
2009104438.tif 000003
【図２】
2009104438.tif 000004
【図３】
2009104438.tif 000005
【図４】
2009104438.tif 000006
【図５】
2009104438.tif 000007
【図６】
2009104438.tif 000008
【図７】
2009104438.tif 000009
【図８】
2009104438.tif 000010
【図９】
2009104438.tif 000011